(57)【特許請求の範囲】
【請求項１】
調剤薬局のデータ処理装置で構成され、当該データ処理装置が医院のデータ処理装置を含む外部の機関のデータ処理装置にインターネットで連結された、調剤薬局のサービス情報の提供装置であって、
画面表示手段の画面に、Ｘ軸を、収集した処方薬剤ごとの処方薬剤情報を含む処方薬剤情報の記載項目及び処方薬剤ごとの患者支援情報の記載項目とし、Ｙ軸を、処方日ごとの記載項目とするデータ記載欄からなる座標で形成されたテンプレートが表示され、
外部の機関のデータ処理装置を含むデータ処理装置から処方薬剤情報及び患者支援情報が収集されて、該患者支援情報が、当該患者への処方薬剤の服用から取得された服用情報、処方薬剤についての処方薬剤情報を知らせた患者へのお知らせ情報及び当該患者に処方服薬について処方指導した指導情報から構成され、当該テンプレートを表示する画面上に、患者ＩＤごとに、Ｙ軸の処方日ごとに、Ｘ軸の処方薬剤情報項目及び患者支援情報項目に前記処方薬剤情報及び前記患者支援情報を記載し、
当該患者への処方薬剤の服用履歴を集約した服用歴情報、当該患者へのお知らせ履歴を集約したお知らせ歴情報及び該患者への指導履歴を集約した指導歴情報を処方薬剤ごとに統合して患者支援歴情報を構成し、統合処方歴情報を、患者ＩＤごとに、処方薬剤情報の履歴を集約した処方薬剤歴情報及び処方服薬情報の履歴を集約し統合した患者支援歴情報で構成し、
当該統合処方歴情報が、当該調剤薬局のサービス情報の提供装置から前記外部の機関のデータ処理機関に、サービス情報として患者ＩＤごと及び処方薬剤ごとに提供可能とされ、
当該外部の機関のデータ処理機関からのサービス情報の提供要求に対応して、患者ＩＤごと及び処方薬剤ごとに前記サービス情報の全部もしくは一部が提供されること
を特徴とする調剤薬局のサービス情報の提供装置。
【請求項２】
調剤薬局のデータ処理装置で構成され、当該データ処理装置が医院のデータ処理装置を含む外部の機関のデータ処理装置にインターネットで連結された、調剤薬局のサービス情報の提供装置であって、
記憶手段及び画面表示手段を備え、
前記記憶手段が、調剤薬局支援アプリを格納し、
当該調剤薬局支援アプリの作動によって画面表示手段に、患者のＩＤ又は患者のマイカードナンバーを記載可能な患者情報の記載欄と、Ｘ軸を、収集した処方薬剤ごとの処方薬剤情報を含む処方薬剤情報の記載項目及び処方薬剤ごとの患者支援情報の記載項目とし、Ｙ軸を、処方日ごとの記載項目とするデータ記載欄からなる座標で形成されたテンプレートを画面に表示可能とし
処方医院のデータ処理装置を含む外部の機関のデータ処理機関との間で、情報通信がなされ、
前記テンプレートを画面に表示し、
外部の機関のデータ処理装置を含むデータ処理装置から処方薬剤情報及び患者支援情報が収集されて、該患者支援情報が、当該患者への処方薬剤の服用から取得された服用情報、処方薬剤についての処方薬剤情報を知らせた患者へのお知らせ情報及び当該患者に処方服薬について処方指導した指導情報から構成され、当該テンプレートを表示する画面上に、患者ＩＤごとに、Ｙ軸の処方日ごとに、Ｘ軸の処方薬剤情報項目及び患者支援情報項目に前記処方薬剤情報及び前記患者支援情報を記載し、
当該患者への処方薬剤の服用履歴を集約した服用歴情報、当該患者へのお知らせ履歴を集約したお知らせ歴情報及び該患者への指導履歴を集約した指導歴情報を処方薬剤ごとに統合して患者支援歴情報を構成し、統合処方歴情報を、患者ＩＤごとに、処方薬剤情報の履歴を集約した処方薬剤歴情報及び処方服薬情報の履歴を集約し統合した患者支援歴情報で構成し
当該統合処方歴情報が、当該調剤薬局のサービス情報の提供装置から前記外部の機関のデータ処理機関に、サービス情報として患者ＩＤごと及び処方薬剤ごとに提供可能とされ、
当該外部の機関のデータ処理機関からのサービス情報の提供要求に対応して、患者ＩＧ及び処方薬剤ごとに前記サービス情報の全部もしくは一部が提供されること
を特徴とする調剤薬局のサービス情報の提供装置。
【請求項３】
調剤薬局のデータ処理装置で構成され、当該データ処理装置が医院のデータ処理装置を含む外部の機関のデータ処理装置にインターネットで連結された、調剤薬局のサービス情報の提供装置であって、
格納手段及び画面表示手段を備え、
外部のサーバになるデータ処理装置から提供され、前記格納手段に格納された、
調剤薬局支援アプリの作動によって画面表示手段に、患者のＩＤ又は患者のマイカードナンバーを記載可能な患者情報の記載欄と、Ｘ軸を、収集した処方薬剤ごとの処方薬剤情報を含む処方薬剤情報の記載項目及び処方薬剤ごとの患者支援情報の記載項目とし、Ｙ軸を、処方日ごとの記載項目とするデータ記載欄からなる座標で形成されたテンプレートを画面に表示可能とし
処方医院のデータ処理装置を含む外部の機関のデータ処理機関との間で、情報通信がなされ、
前記テンプレートを画面に表示し、
外部の機関のデータ処理装置を含むデータ処理装置から処方薬剤情報及び患者支援情報が収集されて、該患者支援情報を、当該患者への処方薬剤の服用から取得された服用情報、処方薬剤についての処方薬剤情報を知らせた患者へのお知らせ情報及び当該患者に処方服薬について処方指導した指導情報から構成され、当該テンプレートを表示する画面に、Ｙ軸の処方日ごとに、Ｘ軸の処方薬剤情報項目及び患者支援情報項目に前記処方薬剤情報及び前記患者支援情報を記載し、
当該患者への処方薬剤の服用履歴を集約した服用歴情報、当該患者へのお知らせ履歴を集約したお知らせ歴情報及び該患者への指導履歴を集約した指導歴情報を処方薬剤ごとに統合して患者支援歴情報を構成し、統合処方歴情報を、処方薬剤ごとに、処方薬剤情報の履歴を集約した処方薬剤歴情報及び処方服薬情報の履歴を集約し統合した患者支援歴情報で構成し
当該統合処方歴情報が、当該調剤薬局のサービス情報の提供装置から前記外部の機関のデータ処理機関に、サービス情報として処方薬剤ごとに提供可能とされ、
調剤薬局のサービス情報の提供手段を備え、
当該外部の機関のデータ処理機関からのサービス情報の提供要求に対応して、処方薬剤ごとに前記サービス情報の全部もしくは一部が提供されること
を特徴とする調剤薬局のサービス情報の提供装置。
【請求項４】
請求項１又は２に記載された調剤薬局のサービス情報の提供装置であって、
前記患者支援情報項目にリンクし、患者による薬剤服用情報、患者へのお知らせ情報及び患者に対する服薬指導情報からなる患者支援情報を前記テンプレートに記載の患者による薬剤服用情報、患者へのお知らせ情報及び患者に対する服薬指導情報からなる患者支援情報よりも詳細に記載すること可能とするシートが画面上に表示され、
当該シートが患者に直接間接に面談する薬剤師のデータ処理装置に提供されて、処方薬剤ごとの患者による薬剤服用情報、患者へのお知らせ情報及び患者に対する服薬指導情報からなる患者支援情報が当該シート記載され、画面に表示されること
を調剤薬局のサービス情報の提供装置。
【請求項５】
請求項１又は２に記載された調剤薬局のサービス情報の提供装置であって、
処方医院のデータ処理装置から処方箋情報が提供され、
処方医院のデータ処理装置からのサービス情報要求に対応して、処方医院のデータ処理装置のデータ処理装置に提供されるサービス情報が、処方箋に関連しての患者による薬剤服用情報を含むサービス情報であること
を特徴とする調剤薬局のサービス情報の提供装置。
【請求項６】
請求項１又は２に記載された調剤薬局機関のサービス情報の提供装置であって、
他の調剤薬局のデータ処理装置から処方薬剤歴情報が提供され、
他の調剤薬局のデータ処理装置からのサービス情報要求に対応して、他の調剤薬局のデータ処理装置に提供されるサービス情報が、当該調剤薬局のデータ処理装置に格納した処方薬剤歴情報であること
を特徴とする調剤薬局のサービス情報の提供装置。
【請求項７】
請求項１又は２に記載された調剤薬局機関のサービス情報の提供装置であって、
製薬会社の所持するデータ処理装置との間で、情報通信を行い、
製薬会社お知らせ情報が、製薬会社から調剤薬局のデータ処理に提供された文字、図形、写真、グラフ、表の全てもしくはこれらの一部の情報及び薬剤についての併用禁止情報を含んで提供され、
製薬会社のデータ処理装置からのサービス情報要求に対応して、製薬会社のデータ処理装置に提供されるサービス情報が、患者ＩＤ及びマイカードナンバーが削除された、統合処方歴情報の全部又部を含むサービス情報であること
を特徴とする調剤薬局のサービス情報の提供装置。
【請求項８】
請求項２に記載された調剤薬局のサービス情報の提供装置であって、
薬剤師のデータ処理装置へ患者支援情報の入手が付託され、
薬剤師のデータ処理装置からのサービス情報要求に対応して、介護施設のデータ処理装置に提供されるサービス情報が、当該マイカードナンバーに関連した処方薬剤薬歴情報を含むサービス情報であり、
薬剤師のデータ処理装置から患者支援情報が提供されること
を特徴とする調剤薬局のサービス情報の提供装置。
【請求項９】
請求項１又は２に記載された調剤薬局のサービス情報の提供装置であって、
公共機関のデータ処理装置から予め定められた所定の地域内のマイカードナンバーが通知され、
公共機関のデータ処理装置のからのサービス情報要求に対応して、公共機関のデータ処理装置に提供されるサービス情報が、当該マイカードナンバーに関連した処方薬剤薬歴情報又は/及び患者支援歴情報を含むサービス情報であること
を特徴とする調剤薬局のサービス情報の提供装置。
【請求項１０】
請求項２に記載された調剤薬局のサービス情報の提供装置であって、
介護施設のデータ処理装置へ患者支援情報の入手が付託され、
介護施設のデータ処理装置からのサービス情報要求に対応して、介護施設のデータ処理装置に提供されるサービス情報が、当該マイカードナンバーに関連した処方薬剤歴情報を含むサービス情報であり、
介護施設のデータ処理装置から患者支援情報が提供されること
を特徴とする調剤薬局のサービス情報の提供装置。
【請求項１１】
請求項１又は２に記載された調剤薬局のサービス情報の提供装置であって、
サービス情報が処方薬剤歴情報を含み、当該処方薬剤歴情報に基づいて処方薬剤が収集されたお薬手帳情報が作成され、当該お薬手帳が処方薬剤ごとに、提供先に患者による薬剤服用情報、患者へのお知らせ情報又は/及び患者に対する服薬指導情報からなる患者支援歴情報を含むこと
を特徴とする調剤薬局のサービス情報の提供装置。
【請求項１２】
調剤薬局のデータ処理装置で構成され、当該データ処理装置が医院のデータ処理装置を含む外部の機関のデータ処理装置にインターネットで連結された、調剤薬局のサービス情報の提供装置による調剤薬局のサービス情報の提供方法であって、
画面表示手段の画面に、Ｘ軸を、収集した処方薬剤ごとの処方薬剤情報を含む処方薬剤情報の記載項目及び処方薬剤ごとの患者支援情報の記載項目とし、Ｙ軸を、処方日ごとの記載項目とするデータ記載欄からなる座標で形成されたテンプレートを表示し、
外部の機関のデータ処理装置を含むデータ処理装置から処方薬剤情報及び患者支援情報が収集されて、該患者支援情報が、当該患者への処方薬剤の服用から取得された服用情報、処方薬剤についての処方薬剤情報を知らせた患者へのお知らせ情報及び当該患者に処方服薬について処方指導した指導情報から構成され、当該テンプレートを表示する画面上に、患者ＩＤごとに、Ｙ軸の処方日ごとに、Ｘ軸の処方薬剤情報項目及び患者支援情報項目に前記処方薬剤情報及び前記患者支援情報を記載し、
当該患者への処方薬剤の服用履歴を集約した服用歴情報、当該患者へのお知らせ履歴を集約したお知らせ歴情報及び該患者への指導履歴を集約した指導歴情報を処方薬剤ごとに統合して患者支援歴情報を構成し、統合処方歴情報を、患者ＩＤごとに、処方薬剤情報の履歴を集約した処方薬剤歴情報及び処方服薬情報の履歴を集約し統合した患者支援歴情報で構成し
当該統合処方歴情報を、当該調剤薬局のサービス情報の提供装置から前記外部の機関のデータ処理機関に、サービス情報として患者ＩＤごと及び処方薬剤ごとに提供可能とし、
当該外部の機関のデータ処理機関からのサービス情報の提供要求に対応して、患者ＩＤごと及び処方薬剤ごとに前記サービス情報の全部もしくは一部を提供すること
を特徴とする調剤薬局のサービス情報の提供装置による調剤薬局のサービス情報の提供方法。
【発明の詳細な説明】
【技術分野】
【０００１】
本発明は、調剤薬局のサービス情報の提供装置及び調剤薬局のサービス情報の提供方法に関する。
【背景技術】
【０００２】
特許文献１には、アプリケーション管理サーバ、データを管理するデータベースサーバ、及びウエブサイトを管理するウエブアプリケーション管理サーバを具備し、薬局のクライアント装置とインターネットを介し情報伝送するデータセンタを有し、データセンタが、薬剤師支援アピリケーションをクライアント装置へ提供し、薬剤支援アプリケーションを用いてクライアント装置に入力され、クライアント装置から伝送された処方箋データをデータベースに蓄積することが記載される。
【０００３】
特許文献１には、データベースに、患者名を含む患者情報、処方薬剤名、処方日、調剤薬局、処方医院、医院の住所など、様々な情報を記録して蓄積することが記載される。
【０００４】
さらにデータセンタが、薬剤師支援アプリケーションをクライアント装置へ提供し、薬剤師支援アプリケーションを用いて処方箋データをデータベースに蓄積し、蓄積された処方箋データに基づいてレセプト請求データを作成することが記載される。
【０００５】
特許文献２には、レセプトコンピュータの表示画面に、処方箋ごとに調剤した薬剤が一覧表示される調剤記録欄と指導事項を記録する疑義・指導欄、これら調剤記録欄及び疑義・指導欄とは別個に必要事項を追記可能なメモ欄が表示され、調剤記録欄とメモ欄とが患者ごとの患者の薬歴として、１ぺージ表示形態でもって一覧表示されることが記載される。
【０００６】
特許文献３には、薬剤グループごとの分類に対応した文字情報を薬剤師テンプレート情報とし、ユーザグループごとの分類に対応した文字情報をユーザ定義テンプレート情報として記憶することが記載される。
【０００７】
特許公報４には、処方薬剤の服用履歴及び服用効果度と副作用の記録情報及び副作用の回避記録に関する統計的な情報を管理する管理サーバにより電子お薬手帳による健康管理システムが記載される。
【０００８】
特許文献５には、薬剤処方情報管理装置、薬剤処方情報管理システム、薬剤処方情報管理及びその方法をコンピュータに実行させるプログラムが記載され、処方箋情報薬歴情報が記載される。
【先行技術文献】
【特許文献】
【０００９】
【特許文献１】特開２００２−１９７１８４号公報
【特許文献２】特許第４５１８３５７号公報
【特許文献３】特許第６２９０５８４号公報
【特許文献４】特開２０１４-１２３２７９号公報
【発明の概要】
【発明が解決しようとする課題】
【００１０】
調剤薬局の役割、薬剤師の役割が増大している。処方箋に基づいて薬剤を調合して患者に手渡すときに薬剤の薬効、服用方法についての説明がなされる。従来の単発的な患者支援であっては処方薬剤の服用の充分さあるいは膨大な薬剤費の削減問題を解決することに調剤薬局あるいは薬剤師の寄与を増大することができない。調剤薬局の役割、薬剤師の役割が増大に伴って、処方薬剤の履歴を一元的に記録可能なデータベースを形成したときに、処方薬剤ごとに患者の薬歴が抽出可能とされるだけでなく、調剤薬局、薬剤師による患者への支援を調剤薬局のサービス情報として提供することが求められる。
【００１１】
特許文献１には、収集された薬剤情報が記載されるが、調剤薬局、薬剤師による患者への支援を調剤薬局のサービス情報として提供することが十分に記録されない。
【００１２】
特許文献２には、処方箋ごとに調剤した薬剤が一覧表示される調剤記録欄と指導事項を記録する疑義・指導欄が設けられる、抽出された処方薬剤ごとの調剤記録欄と指導事項を一覧表示されるようになっていない。調剤薬局、薬剤師による患者への支援を薬剤薬局のサービス情報として提供することが十分に記録されない。
【００１３】
特許文献３には、テンプレートの活用が記載されるが、薬剤師の活動、指導に基づく薬剤情報が履歴して記録されるようにはなっていない。十分に記録されない。
【００１４】
特許文献４には、処方薬剤の服用履歴及び服用効果度と副作用の記録情報及び副作用の回避記録に関する統計的な情報を管理することが記載されるが、薬剤薬局、薬剤師による患者への支援を薬剤薬局のサービス情報として提供することが十分に記録されない。
【００１５】
特許文献５には、処方箋情報薬歴情報が記載されるが、調剤薬局、薬剤師による患者への支援を調剤薬局のサービス情報として提供することが十分に記録されない。
【００１６】
本発明は、かかる点に鑑み各調剤関連の機関から収集した情報及び調剤師からの情報を統合一元的に記録可能なデータベースを形成し、患者の薬歴だけでなく、調剤薬局、薬剤師による患者に対する調剤薬局あるいは薬剤師による支援歴を調剤薬局のサービス情報として提供できるようにすることを課題とする。
【課題を解決するための手段】
【００１７】
本発明は、調剤薬局のデータ処理装置又は外部のサービス情報提供サーバになる調剤薬局のデータ処理装置が医院のデータ処理装置を含む外部の機関のデータ処理装置にインターネットで連結された、調剤薬局のサービス情報の提供装置１００を提供する。
【００１８】
本発明において、調剤薬局のサービス情報の提供装置１００に用いられる調剤薬局のサービス情報の提供手段は、調剤薬局のデータ処理装置自体が調剤薬局支援アプリを格納し、当該調剤薬局支援アプリの作動によって形成され得、あるいは外部のサービス情報提供機関が管理するサーバ（外部のサーバ）に格納された当該調剤薬局支援アプリの作動によって形成され、調剤薬局のデータ処理装置内に設置されることで形成され得る。データ処理装置とは、調剤薬局のデータ処理装置又は外部のサービス情報提供機関のサーバをいう。以後、調剤薬局のデータ処理装置を例に採って説明し、必要に応じて外部のサービス情報提供サーバに言及する。
【００１９】
図1は、本発明が関係する全体システム２００を示す図である。
【００２０】
本発明は、Ｘ軸を、収集した処方薬剤ごとの処方薬剤情報を含む処方薬剤情報の記載項目及び処方薬剤ごとの患者支援情報の記載項目とし、Ｙ軸を、処方日ごとの記載項目とする座標を用いたデータベースを用いて患者支援歴を作成し、当該患者支援歴を処方薬剤ごとにサービス情報として提供するようにした調剤薬局のデータ処理装置を構成する。
【００２１】
本発明において、調剤薬局のデータ処理装置１（以下、調剤薬局１という。他の機関についても同様である。）が、全体システム内で外部の機関２とインターネットになる通信手段によって接続されて構成される。
【００２２】
外部の機関２は、薬剤処方情報提供グループ４、他の調剤薬局グループ５、関係グループ６及び患者グループ７からなる。各機関のデータ処理機関との間は、インターネット８で結ばれて情報通信がなされる。
【００２３】
調剤薬局１と他の調剤薬局グループ５から調剤薬局グループ３が構成される。
【００２４】
薬剤処方情報提供グループ４には、処方医院１１、製薬会社１２、薬剤師１３及び介護施設１４が含まれる。
【００２５】
なお、製薬会社は、製薬商社を含む概念で使用される。
【００２６】
他の調剤薬局グループ５には、調剤薬局（Ａ）２１、調剤薬局（Ｂ）２２、調剤薬局（Ｃ）２３等の複数の調剤薬局が含まれる。
【００２７】
関係グループ６には、典型的に公共機関２４が含まれる。大学等はこれに含まれる。
【００２８】
患者グループ７には、複数の患者（Ａ）３１、複数の患者（Ｂ）３２、複数の患者（Ｃ）３３、複数の患者（Ｄ））３４、複数の患者（Ｅ）３５が含まれる。
【００２９】
マイカードナンバーの暗号化
処方医院１１及び調剤薬局１には、患者から患者ＩＤ及び患者のマイカードナンバーが伝えられる。処方医院１１が調剤薬局１と情報の授受を行う場合、あるいは調剤薬局１が他の機関と情報の授受を行う場合、マイカードナンバーについての暗号化処理がなされ、暗号情報を介しての情報授受がなされる。この暗号化処理には、割符処理が含まれ、暗号情報を介しての情報授受が含まれる。これらの暗号化処理については多くの方法が提案され、実際に用いられている。したがって、これらの技術を用いて暗号化することができる。患者ＩＤは、機関間における情報の授受に使用されない。
【００３０】
なお、マイカードナンバーは、マイナンバーと称される場合がある。ここでは、「マイカードナンバー」を用いる。
【００３１】
マイカードナンバーが健康保険証代用される場合が考えられる。この場合、医療機関でマイカードナンバーのＩＣチップの中の電子証明書を専用の読取機により、読み取る仕組みとなる。このようなケースにあっては、マイカードナンバーの暗号化は必要とされない。このような場合、各図面で用いられる「暗号情報」は、「マイカードナンバー」に読み替えるものとする。
【００３２】
患者のマイカードナンバーに患者ＩＤが対応付けて記憶する記憶手段、変換手段が用いられているような場合には、マイカードナンバーあるいは患者ＩＤを記録すれば、患者のマイカードナンバー及び患者ＩＤを記録することができる。
【００３３】
図２は、本発明の構成を示す図である。
【００３４】
図２において、本発明は、次の構成を持つことで形成される。
【００３５】
調剤薬局、すなわち調剤薬局のデータ処理装置１は、外部の機関、すなわち外部の機関のデータ処理装置２にインターネット８を介して接続される。
【００３６】
記憶手段及び画面表示手段（図３参照）を備える。
【００３７】
記憶手段が、調剤薬局支援アプリ（４１）を格納する。
【００３８】
当該調剤薬局支援アプリの作動によって画面表示手段に、Ｘ軸を、収集した処方薬剤ごとの処方薬剤情報を含む処方薬剤情報の記載項目及び処方薬剤ごとの患者支援情報の記載項目とし、Ｙ軸を、処方日ごとの記載項目とするデータ記載欄からなる座標で形成されたテンプレート（４２）を画面に表示可能とする。
【００３９】
表示された当該テンプレートの座面上に、Ｙ軸の処方日ごとに、Ｘ軸の処方薬剤情報項目及び患者支援情報項目に処方薬剤情報（４３）及び患者支援情報（４４）を記載する。
【００４０】
統合処方歴情報（４７）が、処方薬剤情報（４３）及び患者支援情報（４４）を履歴ごとに集約した処方薬剤歴情報（４５）及び患者支援歴情報（４６）を統合して形成される。図２において、処方薬剤情報（４３）及び患者支援情報（４４）の履歴ごとに処方薬剤歴情報（４５）及び患者支援歴情報（４６）として集約されることが「履歴することで」で形成されることが表される。
【００４１】
サービス情報（４８）が当該統合処方歴情報（４７）から処方薬剤ごとに
１） 当該統合処方歴情報
２） 処方薬剤歴情報、又は
３） 患者支援歴情報
が選択されて提供可能とされることで形成される。
【００４２】
外部の機関のデータ処理機関２に、当該外部の機関のデータ処理機関からの要求に対応して、前記サービス情報の全部もしくは一部（４９）が提供される。
【００４３】
本発明は、統合処方歴情報を形成することを特徴とするが、この統合処方歴情報の形成に当たっては、患者支援歴情報の形成が、そして患者支援歴情報の形成に当たっては、Ｘ軸の処方薬剤情報項目及び患者支援情報項目に処方薬剤情報及び患者支援情報を記載するテンプレートの形成が重要である。
【００４４】
画面表示手段の画面に、Ｘ軸を、収集した処方薬剤ごとの処方薬剤情報を含む処方薬剤情報の記載項目及び処方薬剤ごとの患者支援情報の記載項目とし、Ｙ軸を、処方日ごとの記載項目とするデータ記載欄からなる座標で形成されたテンプレートを表示し、
当該テンプレートの座面上に、Ｙ軸の処方日ごとに、Ｘ軸の処方薬剤情報項目及び患者支援情報項目に処方薬剤情報及び患者支援情報を記載し、
統合処方歴情報が、処方薬剤情報及び患者支援情報の履歴ごとに集約した処方薬剤歴情報及び患者支援歴情報で形成し、
サービス情報が当該統合処方歴情報から前記外部の機関のデータ処理機関に、特にサービス情報が当該統合処方歴情報から処方薬剤ごとに前記外部の機関のデータ処理機関に、
１） 当該統合処方歴情報
２） 処方薬剤歴情報、又は
３） 患者支援歴情報
が提供可能とされ、
当該外部の機関のデータ処理機関からのサービス情報の提供要求に対応して、前記サービス情報の全部もしくは一部を提供すること
を特徴とする調剤薬局のサービス情報の提供装置および当該装置による調剤薬局のサービス情報の提供方法が提供される。
【発明の効果】
【００４５】
本発明によれば、調剤薬局でサービス情報が生成され、サービス情報として
１） 当該統合処方歴情報
２） 処方薬剤歴情報、又は
３） 患者支援歴情報
が処方薬剤ごとに提供可能とされ、特に患者に支援された患者支援歴情報を蓄積して保有し、調剤薬局の業務として、外部の機関にその機関の特徴に合わせたサービス情報を提供することで、調剤薬局の支援がなされ得る。
【００４６】
また、本発明によれば、患者支援歴情報を蓄積し、形成したサービス情報からお薬手帳を形成することで、調剤薬局の支援がなされ得る。
【００４７】
また、サービス情報を多面的に分析可能とすることで、処方する薬剤の適量化、安価な医薬品の普及に役立つデータが得られることになる。
【図面の簡単な説明】
【００４８】
【図１】本発明が関係する全体システムを示す図。
【図２】本発明のコンセプトを示す図。
【図３】図１に示される本発明の調剤薬局のサービス情報の提供装置をブロックで示す実施例図。
【図４】収集情報を表示するテンプレート画面を示す図。
【図５】統合処方歴情報を記載するテンプレート画面を示す図。
【図６】データベース情報の形成の状況を説明する図。
【図７】サービス情報の生成とサービス情報の提供を示す図。
【図８】サービス情報の提供状況を示す図。
【図９】図８の内容をルートとして示す図。
【図１０】図９の内容をルートとして示す図。
【図１１】調剤薬局と処方医院の間における情報の授受方法を示す図。
【図１２】調剤薬局と他の調剤薬局グループとの間における情報の授受方法を示す図。
【図１３】調剤薬局と製薬会社との間における情報の授受方法を示す図。
【図１４】調剤薬局と公共機関との間における情報の授受方法を示す図。
【図１５】調剤薬局と介護施設との間における情報の授受方法を示す図。
【図１６】調剤薬局と薬剤師との間における情報の授受方法を示す図。
【図１７】調剤薬局と患者との間における情報の授受方法を示す図。
【発明を実施するための形態】
【００４９】
以下、本発明の実施例を図面に基づいて説明する。
【００５０】
図３は、図１に示される本発明の調剤薬局のサービス情報の提供装置をブロックで示す実施例図である。
【００５１】
図３において、調剤薬局のサービス情報の提供装置１００は調剤薬局のデータ処理装置１で構成され、外部の機関２にインターネット８で接続され、入力手段５１、処理手段５２、提供手段５３、記憶手段５４及び画面表示手段５５を備え、これらは通信手段５６によって結ばれる。画面表示手段５５は、画面５５Ａを備える。
【００５２】
入力手段５１は、
・患者のマイカードナンバーと患者ＩＤ
・処方薬剤情報
・患者支援情報
を入力する。
【００５３】
処理手段５２は、記憶手段５４に格納されたデータ、情報及び入力されたデータ、情報を用いて、
・統合処理歴情報の作成
・サービス情報の作成
・提供されるサービス情報の作成
・お薬手帳の作成
を行う。
【００５４】
提供手段５３は、作成されたサービス情報を外部の機関２に提供するか、調剤薬局における所要の目的のために使用する。
【００５５】
記憶手段５４は、
・調剤薬局支援アプリ（調剤薬局支援アプリケーション）
・生成されたデータベース情報
・外部の機関に関する情報
を格納する。
【００５６】
調剤薬局のデータ処理装置で構成され、当該データ処理装置が医院のデータ処理装置を含む外部の機関のデータ処理装置にインターネットで連結された、調剤薬局のサービス情報の提供装置１００が構成され、調剤薬局のサービス情報の提供装置１００は次の構成を持つ。
【００５７】
記憶手段５４及び画面表示手段５５を備える。
【００５８】
記憶手段５４が、調剤薬局支援アプリを格納する。
【００５９】
当該調剤薬局支援アプリの作動によって画面表示手段５５の画面５５Ａに、患者のＩＤ又は患者のマイカードナンバーを記載可能な患者情報の記載欄と、Ｘ軸を、収集した処方薬剤ごとの処方薬剤情報を含む処方薬剤情報の記載項目及び処方薬剤ごとの患者支援情報の記載項目とし、Ｙ軸を、処方日ごとの記載項目とするデータ記載欄からなる座標で形成されたテンプレート４２（図２参照）を画面に表示可能とする。このテンプレートは、埋め込みが可能な記載項目を持つフォーマットを表示する。
【００６０】
処方医院のデータ処理装置を含む外部の機関のデータ処理機関との間で、情報通信がなされる。
【００６１】
テンプレート４２を画面に表示する。
【００６２】
Ｙ軸の処方日ごとに、Ｘ軸の処方薬剤情報項目及び患者支援情報項目に処方薬剤情報及び患者支援情報を記載する。当該患者支援情報を、患者による薬剤服用情報、患者へのお知らせ情報及び患者に対する服薬指導情報を含む情報から構成する。
【００６３】
統合処方歴情報が、処方薬剤の履歴ごとに処方薬剤情報及び患者による薬剤服用情報、患者へのお知らせ情報及び患者に対する服薬指導情報からなる患者支援歴情報を集約して形成される。
【００６４】
サービス情報が当該統合処方歴情報から処方薬剤ごとに提供可能とされる。
【００６５】
当該外部の機関のデータ処理機関からのサービス情報の要求に対応して、外部の機関のデータ処理機関に患者へのお知らせ情報又は/及び患者に対する服薬指導情報からなる患者支援歴情報を含んだサービス情報の全部もしくは一部が提供される。
【００６６】
調剤薬局のデータ処理装置が、格納された調剤薬局支援アプリを備えることで、上述した添付テンプレートを画面に標示可能とすること、通信がなされること、テンプレート４２を画面に表示すること、テンプレート上に処方薬剤情報及び患者支援情報を記載すること、当該患者支援情報を、患者による薬剤服用情報、患者へのお知らせ情報及び患者に対する服薬指導情報を含む情報から構成すること、統合処方歴情報を構成すること、サービス情報が当該統合処方歴情報から処方薬剤ごとに提供可能とされることからなる調剤薬局のサービス情報の提供手段が構成されたが、外部のサーバに調剤薬局支援アプリを備えることで、当該調剤薬局のサービス情報の提供手段を外部のサーバの作動で構成して、調剤薬局のデータ処理装置１に提供し、調剤薬局のデータ処理装置内に調剤薬局のサービス情報の提供手段を構成することができる。
【００６７】
これによって、調剤薬局のサービス情報の提供装置１００は、
当該外部の機関のデータ処理機関からのサービス情報の提供要求に対応して、前記サービス情報の全部もしくは一部を提供することができる。
【００６８】
また、当該外部の機関のデータ処理機関からのサービス情報の要求に対応して、前記外部の機関のデータ処理機関に患者へのお知らせ情報又は/及び患者に対する服薬指導情報からなる患者支援歴情報を含んだ前記サービス情報の全部もしくは一部を提供することができる。
【００６９】
図４は、収集情報を表示するテンプレート画面６０を示す図である。
【００７０】
収集情報を表示するテンプレート画面６０は、フォーマット形態のテンプレートの記載項目に記載事項が埋め込まれることで形成される。
【００７１】
画面表示手段５５の画面５５Ａは、患者のＩＤ又は患者のマイカードナンバーを記載可能な患者情報の記載欄６１を持つ。
【００７２】
テンプレート画面６０は、Ｘ軸を、収集した処方薬剤ごとの処方薬剤情報を含む処方薬剤情報の記載項目６４及び処方薬剤ごとの患者支援情報の記載項目６５とし、Ｙ軸を、処方日６３ごとの記載項目とするデータ記載欄６２からなる座標で形成される。
【００７３】
軸の処方日６３ごとに、Ｘ軸の処方薬剤情報項目６４及び患者支援情報項目６５に処方薬剤情報４３（図２参照、以下同じ）及び患者支援情報４４を記載する。当該処方薬剤情報４３を、処方医院６６、調剤薬局６７、処方薬剤６８から構成する。当該患者支援情報４４を、患者による薬剤服用情報６９、患者へのお知らせ情報７０及び患者に対する服薬指導情報７１を含む情報から構成する。
【００７４】
処方日６３ごとに、処方医院６６に医院名、担当の医師名が、調剤薬局６７に薬局名、担当の薬剤師名が、そして処方薬剤６８に処方箋に記載された処方薬剤が処方薬剤１、処方薬剤２、処方薬剤３のようにして記載される。
【００７５】
処方薬剤情報４３に記載に当たっては、既存の電子薬歴管理システムを利用することができる。
【００７６】
例えば、電子薬歴管理システムは、例えば処方医院から電子処方箋システムを介して処方箋情報を患者あるいは処方医院が指定する任意の調剤薬局に通信回路により送信し、調剤薬局で受信して処方箋情報を読み出すように構成することができる。またこの電子薬剤システムに、処方され、調合された薬剤を当該薬剤の受け渡し場所として、例えば患者の住居に配送システムによって配送すること、この場合に薬剤師への患者による薬剤服用情報、患者へのお知らせ情報及び患者に対する服薬指導情報を含む情報を提供する手段が患者から取得される。
【００７７】
この電子薬歴管理システムには、各薬剤に関する副作用や禁忌等の薬剤情報を記憶する薬歴データサーバを用い、各薬剤に関する副作用や禁忌等の薬剤情報を調剤薬局に提供することができる。
【００７８】
患者支援情報項目６５に記載される患者支援情報の内、患者による薬剤服用情報６９には、薬剤師が感情を訪問することで直接入手した情報あるいは電話、スマホによって間接的に取得したことが確認された場合に「服用情報有り」、にチェックマークが付着される。「服用忘れ」項目を付加してもよい。
【００７９】
患者へのお知らせ情報７０には、副作用や禁忌等の薬剤情報を患者にお知らせしたか、また後発薬剤としてのジェネリック医薬品情報について説明がなされたかが確認された場合にチェックマークが付着される。副作用や禁忌等の薬剤情報と後発薬剤としてのジェネリック医薬品情報を別の項目にしてもよい。
【００８０】
患者に対する服薬指導情報７１には、服薬指導がなされたことが確認された場合に「服薬指導有り」にチェックマークが付着される。患者に対する服薬指導は、薬剤師の重要なコミュニケーションとされている。薬剤師には、処方箋のもとに薬剤を正しく調剤して、患者さんに渡す場合に、患者が正しく服薬できるように薬剤情報を説明することが求められる。この場合に、患者から多くの情報を引出し、質問に的確に回答すること、処方された薬剤がその患者に現在の症状にあったものかを確認すること、薬効をしっかり理解してもらった上で安心して服用してもらえる明確なアドバイスをすることに関する「服薬指導有り」が確認される。
【００８１】
図５は、統合処方歴情報を記載するテンプレート画面を示す図である。
【００８２】
統合処方歴情報が、処方薬剤の履歴ごとに処方薬剤情報及び患者による薬剤服用情報、患者へのお知らせ情報及び患者に対する服薬指導情報を集約して患者支援歴情報が形成され、統合処方歴情報を記載するテンプレート画面８０となる。
【００８３】
統合処方歴情報を記載するテンプレート画面８０は、前述のテンプレート画面６０と比べて、患者のＩＤ又は患者のマイカードナンバーを記載可能な患者情報の記載欄６１を持つこと、Ｘ軸の処方薬剤情報項目６４及び患者支援情報項目６５に処方薬剤情報４３及び患者支援情報４４を持ち、処方医院６６、調剤薬局６７、処方薬剤６８から構成し、当該患者支援情報４４を、患者による薬剤服用情報６９、患者へのお知らせ情報７０及び患者に対する服薬指導情報７１を含む情報から構成することで一致するが、処方薬剤ごとに並び替えられて整理されることにおいて相違がある。
【００８４】
処方薬剤ごとに並び替えられて整理されることで、処方薬剤の履歴ごとに処方薬剤情報及び患者による薬剤服用情報が取得される。処方薬剤の履歴ごとに患者による薬剤服用情報、患者へのお知らせ情報及び患者に対する服薬指導情報を集約して患者支援歴情報が形成され取得される。
【００８５】
前述のテンプレート画面６０では得られない情報としての統合処方歴情報４７（図２参照）が取得される。
【００８６】
図６は、統合処方歴情報を記載するテンプレート画面にリンクされるシートを示す図である。
【００８７】
図６に、処方薬剤の記載欄８１、及び患者による薬剤服用情報６９、患者へのお知らせ情報７０及び患者に対する服薬指導情報７１の詳細情報を記入する記載欄８０が設けられる。記載欄８０には、患者支援情報の記載項目６５の詳細情報を処方薬剤ごとに記入するそれぞれ記載する記載欄８２−８４が設けられる。
【００８８】
患者による薬剤服用情報６９に記載欄８２には、図５の患者による薬剤服用情報についてより詳細に記載可能な項目が設けられ、詳細な事項を記入可能なスペースが設けられる。例えば、完全服用、服用残し、服用忘れのチェック項目が設けられる。
【００８９】
この欄は、調剤薬局で直接に患者に調合された薬剤を手渡しするとき、並びに処方箋が発行されて処方された薬剤が直接患者の住居に届けられて、薬剤師からの電話、スマホ等の通信手段による連絡時、あるいは患者からの要望によって薬剤師が患者自宅を訪問したときの状況が記載される。
【００９０】
患者に対する服薬指導情報の記載欄８４には、図５の患者による薬剤服用情報についてより詳細に記載可能な項目が設けられ、詳細な事項を記入可能なスペースが設けられる。例えば、患者情報の引出しと回答、当該薬剤が現在の患者症状に合致しているか、当該薬剤についての薬効理解に努めたか、のチェック項目が設けられ、薬剤師によってなされた服薬上のアドバイスの詳細が記入される。服薬指導内容が薬剤師によって記入される。
【００９１】
患者へのお知らせの記載欄８３には、図５の患者によるお知らせについてより詳細に記載可能な項目が設けられ、詳細な事項を記入可能なスペースが設けられる。例えば、副作用又は禁忌薬剤、及びジェネリック医薬品のチェック項目が設けられる。
【００９２】
調剤薬局１に先発薬剤同等ジェネリック医薬品検索装置を備えて、ジェネリック医薬品を薬剤師が検索できるようにしてもよい。
【００９３】
お知らせ情報には、処方薬剤の薬価並びにジェネリック医薬品の薬価が表示され得る。
【００９４】
処方薬剤の薬価とジェネリック医薬品の薬価の差額をお知らせ情報に加えることができる。
【００９５】
薬剤師は、処方薬剤歴情報並びに処方薬剤ごとの患者支援歴情報を分析して、傾向を見つけ出し基準と比較することで評価して服薬指導のデータとするようにしてもよい。
【００９６】
薬剤師は、処方薬剤に対する服用指導情報に関連する事項を検索照合してその結果を画面に標示し、処方薬剤を当該患者に服用しても不適合でないかどうかを確認して確認されたことを指導項目に記載することができる。
【００９７】
図７は、データベース情報の形成の状況を説明する図である。
【００９８】
・患者情報の記載欄６１及びデータ記載欄６２を持つテンプレート４２が準備される。
【００９９】
このテンプレート４２には、詳細記載可能なシート（図６参照）がリンクされて準備される。
・処方日ごと処方薬剤情報４３が取集される。
・患者支援情報４４が収集される。
・処方薬剤情報４３患者支援情報４４を収集して、処方薬剤の履歴ごとに集約した統合処分歴状情報４７を形成する。
・処方薬剤情報４３患者支援情報４４を収集して、処方薬剤ごとに集約整理して、統合処分歴状情報４７を形成する。
・処分薬剤ごとのサービス情報を形成する。
【０１００】
サービス情報は、次に区分に分けられる。
１） 統合処方歴情報
２） 処方薬剤歴情報、又は
３） 患者支援歴情報
・サービス情報の提供と提供情報の記録
サービス情報が当該統合処方歴情報から処方薬剤ごとに提供可能とされ、当該外部の機関のデータ処理機関からのサービス情報の要求に対応して、外部の機関のデータ処理機関に患者へのお知らせ情報又は/及び患者に対する服薬指導情報からなる患者支援歴情報を含んだサービス情報の全部もしくは一部が提供される。サービス情報が提供されたことが記録される。この記録をテンプレート画面８０の上になし得るようにしてもよい。
【０１０１】
・全ての情報が揃ったデータベース情報が形成され、記憶手段５４（図３参照）に格納される。
【０１０２】
図８〜図１７は、サービス情報の生成とその提供について説明する図である。
【０１０３】
図８は、サービス情報の生成とサービス情報の提供を示す図である。
【０１０４】
処分薬剤ごとに
１） 統合処方歴情報
２） 処方薬剤歴情報、又は
３） 患者支援歴情報
が形成される。
【０１０５】
形成されたサービス情報は、外部の機関のデータ処理装置からの要求に対応して、特に薬剤ごとに、形成されたサービス情報は、外部の機関のデータ処理装置からの要求に対応して、
１） 統合処方歴情報の全部または一部
２） 処方薬剤歴情報の全部または一部、又は
３） 患者支援歴情報の全部または一部
の形態で外部の機関に提供される。
【０１０６】
上述した情報の一部の提供は、例えば処方期間を指定することでなされる。また、処方薬剤を特定することで一部指定がなされる。また、患者支援情報を特定することで一部指定がなされる。例えば、服用情報で服用情報有りの場合に、服用残しを指定することで、あるいはお知らせのお知らせ有の場合に、ジェネリック医薬品の有無を指定することで、あるいは服薬指導情報で服薬指導有の場合に、現在の症状に合致しているかを指定することで、これらのサービス情報の提供がなされる。
【０１０７】
通常は、患者ごとにこれらのサービス情報の提供がなされるが、患者ＩＤあるいはマイカードナンバーを複数指定することで、あるいは特定地域を指定することでこの地域に所属される患者ＩＤあるいはマイカードナンバーを複数指定することでこれらのサービス情報の提供がなされる。
【０１０８】
また、処方医院、医師名、調剤薬局、薬剤師を特定して指定することで、これらのサービス情報の提供がなされる。
【０１０９】
このように多様なサービス情報の提供が可能とされることで、調剤薬局あるいは薬剤師による患者支援の在り方が分析可能とされ、調剤薬局支援がなされ、処方薬剤の処方が処方医院あるいは医師ごとに分析可能とされ、調剤薬局支援さらには処方医院の支援がなされる。
【０１１０】
例えば、ジェネリック医薬品の有無を患者ごとに分析することで、調剤薬局支援さらには患者の支援がなされる。
【０１１１】
ジェネリック医薬品の有無の患者ごとの分析及び服用残しあるいは服用忘れの分析は、公共機関にとって医療費の低減化に有効な情報となり得る。
【０１１２】
また、医師に対するこれらのサービス情報の提供は、医療カルテを補助する情報源となって、医療に役立つものとなり得る。
【０１１３】
サービス情報が処方薬剤ごとに提供可能とされ、特に患者に支援された患者支援歴情報を蓄積して保有し、調剤薬局の業務として、外部の機関にその機関の特徴に合わせたサービス情報を提供することで、調剤薬局の支援がなされ得る。
【０１１４】
また、患者支援歴情報を蓄積し、形成したサービス情報からお薬手帳を形成することで、調剤薬局の支援がなされ得る。
【０１１５】
また、サービス情報を多面的に分析可能とすることで、処方する薬剤の適量化、安価な医薬品の普及に役立つデータが得られることになる。
【０１１６】
図９は、サービス情報の提供状況を示す図である。
【０１１７】
図１０は、図９の内容をルートとして示す図である。
【０１１８】
図１１〜図１７は、個々のサービス情報提供要求に対応したサービス情報の提供の状況をルート別に示す図である。
【０１１９】
図９及び図１０において
Ａ．処方医院からの要求の場合
処方箋に関連しての患者による薬剤服用情報からなるサービス情報の提供がなされる。１）統合処方歴情報の全部又は一部が提供される場合もある。
【０１２０】
ルート１１１において、処方医院のデータ処理装置から処方箋情報が提供され、  処方医院のデータ処理装置からのサービス情報要求に対応して、処方医院のデータ処理装置のデータ処理装置にサービス情報が提供される。
【０１２１】
サービス情報要求は、処方箋記載の処方薬剤についての情報提供要求である。このサービス情報は、処方箋に関連しての患者による薬剤服用情報を含むサービス情報である。
【０１２２】
図１１は、調剤薬局１と処方医院１１の間における情報の授受方法を示す図である。
【０１２３】
図１１において、患者による薬剤服用情報を含むサービス情報は、暗号情報を介して情報の授受９１がなされる。処方医院１１と患者７との間では、患者ＩＤ及びマイカードナンバーを介して情報の授受がなされる。
【０１２４】
Ｂ．他の調剤薬局からの要求の場合
処方薬剤歴情報からなるサービス情報が提供される。
【０１２５】
ルート１１２において、他の調剤薬局のデータ処理装置からのサービス情報要求に対応して、他の調剤薬局のデータ処理装置にサービス情報が供される。サービス情報要求は、処方薬剤歴情報についての情報提供要求である。このサービス情報は、当該調剤薬局のデータ処理装置に格納した処方薬剤歴情報についてサービス情報である。
【０１２６】
図１２は、調剤薬局１と他の調剤薬局グループ５との間における情報の授受方法を示す図である。
【０１２７】
図１２において、患者による薬剤服用情報を含むサービス情報は、暗号情報を介して情報の授受９２がなされる。
【０１２８】
Ｃ．製薬会社からの要求
患者ＩＤ及びマイカードナンバーが削除された薬剤情報が提供される。
【０１２９】
ルート１１３において、製薬会社のデータ処理装置からのサービス情報要求に対応して、製薬会社のデータ処理装置にサービス情報が提供される。サービス情報要求は、１）統合処方歴情報についての情報提供要求である。このサービス情報は、当該調剤薬局のデータ処理装置に格納した、患者ＩＤ及びマイカードナンバーが削除された１）統合処方歴情報についてのサービス情報である。
【０１３０】
図１３は、調剤薬局１と製薬会社１２との間における情報の授受方法を示す図である。
【０１３１】
図１３において、患者による薬剤服用情報を含むサービス情報は、暗号情報を介して情報の授受９３がなされる。
【０１３２】
Ｄ．公共機関からの要求
ルート１１４において、マイカードナンバーに関連した処方薬剤についての地域における関連情報が提供される。サービス情報要求は、これらの各履歴情報について公共機関からの情報提供要求である。このサービス情報は、当該調剤薬局のデータ処理装置に格納した１）統合処方歴情報、２）処方薬剤歴情報、又は３）患者支援歴情報についてのサービス情報である。
【０１３３】
図１４は、調剤薬局１と公共機関２４との間における情報の授受方法を示す図である。
【０１３４】
図１４において、患者による薬剤服用情報を含むサービス情報は、暗号情報を介して情報の授受９４がなされる。
【０１３５】
Ｅ．介護施設からの要求
ルート１１５において、マイカードナンバーに関連した、特に患者支援歴情報についてのサービス情報が提供される。サービス情報要求は、これらの各履歴情報について介護施設からの情報提供要求である。このサービス情報は、当該調剤薬局のデータ処理装置に格納した１）統合処方歴情報、２）処方薬剤歴情報、又は３）患者支援歴情報についてのサービス情報である。
【０１３６】
図１５は、調剤薬局１と介護施設１４との間における情報の授受方法を示す図である。
【０１３７】
図１５において、患者による薬剤服用情報を含むサービス情報は、暗号情報を介して情報の授受９５がなされる。
【０１３８】
Ｆ．薬剤師からの要求
ルート１１６において、マイカードナンバーに関連して、患者を訪問する薬剤師の便宜のためのサービス情報が提供される。サービス情報要求は、これらの各履歴情報について薬剤師からの情報提供要求である。このサービス情報は、当該薬剤薬局のデータ処理装置に格納した２）処方薬剤歴情報又は３）患者支援歴情報についてのサービス情報である。
【０１３９】
図１６は、調剤薬局１と薬剤師１３との間における情報の授受方法を示す図である。
【０１４０】
図１６において、患者による薬剤服用情報を含むサービス情報は、暗号情報を介して情報の授受９６がなされる。
【０１４１】
Ｇ．患者からの要求
ルート１１７において、患者自身の情報が提供される。特に２）処方薬剤歴情報又は３）患者支援歴情報を含むお薬手帳を形成するためのサービス情報が提供される。
【０１４２】
マイカードナンバーに関連した２）処方薬剤歴情報、又は患者支援歴情報についてのサービス情報が提供される。サービス情報要求は、これらの各履歴情報について患者自身からの情報提供要求である。このサービス情報は、当該調剤薬局のデータ処理装置に格納した２）処方薬剤歴情報又は３）患者支援歴情報についてのサービス情報である。
【０１４３】
図１７は、調剤薬局１と他の調剤薬局グループ５に属する他の調剤薬局２１〜２３との間における情報の授受方法を示す図である。
【０１４４】
図１７において、患者による薬剤服用情報を含むサービス情報は、患者ＩＤ及びマイカードナンバーを介して情報の授受９７がなされる。調剤薬局１と他の調剤薬局グループ５に属する他の調剤薬局２１〜２３との間における情報の授受は、暗号情報９８に基づいてなされる
調剤薬局１は、統合処理歴情報を用いてお薬手帳を生成する機能を持つ。
【０１４５】
調剤薬局１は、他の調剤薬局２１〜２３から処方薬剤情報を収集する。患者支援歴情報をも収集するようにしてもよい。
【０１４６】
サービス情報が処方薬剤情報を含み、当該処方薬剤歴情報に基づいて処方薬剤が収集されたお薬手帳情報が作成される。
【０１４７】
当該お薬手帳が処方薬剤ごとに、提供先に患者による薬剤服用情報、患者へのお知らせ情報又は/及び患者に対する服薬指導情報からなる患者支援歴情報を含む。
【０１４８】
患者へのお知らせ情報が、処方薬剤に対するジェネリック医薬品情報を含むこと
を特徴とする調剤薬局機関のサービス情報の提供装置が提供される。
【０１４９】
外部のサーバになるデータ処理装置から提供され、前記格納手段に格納された、
当該調剤薬局支援アプリの作動によって画面表示手段に、患者のＩＤ又は患者のマイカードナンバーを記載可能な患者情報の記載欄と、Ｘ軸を、収集した処方薬剤ごとの処方薬剤情報を含む処方薬剤情報の記載項目及び処方薬剤ごとの患者支援情報の記載項目とし、Ｙ軸を、処方日ごとの記載項目とするデータ記載欄からなる座標で形成されたテンプレートを画面に表示可能とし
処方医院のデータ処理装置を含む外部の機関のデータ処理機関との間で、情報通信がなされ、
前記テンプレートを画面に表示し、
Ｙ軸の処方日ごとに、Ｘ軸の処方薬剤情報項目及び患者支援情報項目に処方薬剤情報及び患者支援情報を記載し、当該患者支援情報を、患者による薬剤服用情報、患者へのお知らせ情報及び患者に対する服薬指導情報を含む情報から構成し、
統合処方歴情報が、処方薬剤の履歴ごとに処方薬剤情報及び患者による薬剤服用情報、患者へのお知らせ情報及び患者に対する服薬指導情報からなる患者支援歴情報を集約して形成され、
サービス情報が当該統合処方歴情報から処方薬剤ごとに提供可能とされた、
調剤薬局のサービス情報の提供手段を備えることができる。
【符号の説明】
【０１５０】
１００…調剤薬局のサービス情報の提供装置、１０１…外部のサーバ、２００…全体システム、１…調剤薬局のデータ処理装置（調剤薬局）、２…外部の機関、３…調剤薬局グループ、4…薬剤処方情報提供グループ、５…他の調剤薬局グループ、６…関係グループ、７…患者グループ、８…インターネット、１１…処方医院、１２…製薬会社、１３…薬剤師、１４…介護施設、２１…調剤薬局（Ａ）、２２…調剤薬局（Ｂ）、２３…調剤薬局（Ｃ）、３１-３５…患者、４１…調剤薬局支援アプリ、４２…テンプレート、４３…処方薬剤情報、４４…患者支援情報、４５…処方薬剤歴情報、４６…患者支援歴情報、４７…統合処方歴情報、４８…サービス情報、４９…サービス情報の全部または一部、５１…入力手段、９１〜９６，９８…暗号情報。
【要約】      （修正有）【課題】各薬剤関連の機関から収集した情報及び薬剤師からの情報を統合一元的に記録可能なデータベースを形成し、患者の薬歴だけでなく、薬剤薬局、薬剤師による患者に対する薬剤薬局、薬剤師による支援歴を薬剤薬局のサービス情報として提供する調剤薬局のサービス情報提供装置を提供する。【解決手段】調剤薬局１のサービス情報提供装置において、テンプレートを画面に表示し、Ｙ軸の処方日ごとに、Ｘ軸の処方薬剤情報項目及び患者支援情報項目に処方薬剤情報４３及び患者支援情報４４を記載し、当該患者支援情報４４を、患者による薬剤服用情報、患者へのお知らせ情報及び患者に対する服薬指導情報を含む情報から構成する。統合処方歴情報４７が、処方薬剤の履歴ごとに処方薬剤情報４３、患者による薬剤服用情報及び患者へのお知らせ情報及び患者に対する服薬指導情報を集約して、患者支援情報４４が形成される。【選択図】図２【図１】
0006764203.tif 000002
【図２】
0006764203.tif 000003
【図３】
0006764203.tif 000004
【図４】
0006764203.tif 000005
【図５】
0006764203.tif 000006
【図６】
0006764203.tif 000007
【図７】
0006764203.tif 000008
【図８】
0006764203.tif 000009
【図９】
0006764203.tif 000010
【図１０】
0006764203.tif 000011
【図１１】
0006764203.tif 000012
【図１２】
0006764203.tif 000013
【図１３】
0006764203.tif 000014
【図１４】
0006764203.tif 000015
【図１５】
0006764203.tif 000016
【図１６】
0006764203.tif 000017
【図１７】
0006764203.tif 000018